(57)【特許請求の範囲】
【請求項１】
筒状の筐体本体の外周壁を、周方向と直交する方向に延びる２本の分割線に沿って分割した形態の一対の筐体部材であって、前記２本の分割線のそれぞれに対応して形成される第１及び第２の２つの端部同士をそれぞれ突き合わせて結合される一対の筐体部材と、
前記一対の筐体部材のそれぞれの前記第１端部に形成され、前記端部同士の突き合わせ方向において凹となる凹部を有する第１嵌合部であって、前記凹部は、前記突き合わせ方向に延びる外側舌片部と、前記外側舌片部よりも前記筐体本体の内側に形成され、前記突き合わせ方向に延びる内側舌片部とを有する第１嵌合部と、
前記一対の筐体部材のそれぞれの前記第２端部に形成され、前記端部同士の突き合わせ方向において凸となる凸型であり、前記凹部に挿入されることにより前記第１嵌合部と嵌合する第２嵌合部と、
前記第１嵌合部において、前記内側舌片部の先端に形成され、前記外側舌片部に向けて屈曲した第１屈曲部と、
前記第２嵌合部の先端に形成され、前記第２嵌合部が前記凹部内に挿入された状態において、前記内側舌片部と対向する向きに屈曲し、かつ、前記突き合わせ方向において、前記第１屈曲部と対向する第２屈曲部と、
前記第２嵌合部が前記凹部内に挿入された状態において、前記第１屈曲部、前記内側舌片部、及び前記第２屈曲部を含む前記第２嵌合部によって前記突き合わせ方向及び前記突き合わせ方向と直交する方向における四方向の内壁面が画定される孔部であって、前記内壁面と四方向で接触する締結用の結合ネジが螺合する孔部とを、備えている電子機器の筐体構造。
【請求項２】
前記第２嵌合部において、前記外側舌片部と対向する外側対向面には、前記外側舌片部の先端と当接して、前記第１嵌合部との嵌合位置を位置決めする位置決め部が形成されている請求項１に記載の電子機器の筐体構造。
【請求項３】
前記位置決め部は、前記突き合わせ方向と直交する方向において、前記第１嵌合部との間の嵌合位置を位置決めする第１位置決め面を有しており、
前記外側対向面において、前記第１位置決め面は、前記第２嵌合部の先端側よりも、前記外側舌片部に向けて一段高くなっている請求項２に記載の電子機器の筐体構造。
【請求項４】
前記位置決め部は、前記突き合わせ方向において、前記第１嵌合部との間の嵌合位置を位置決めする第２位置決め面を有している請求項２または３に記載の電子機器の筐体構造。
【請求項５】
前記孔部の四隅には、前記結合ネジが螺合された際に、前記結合ネジによる切り屑を逃がす隙間が形成される請求項１〜４のいずれか１項に記載の電子機器の筐体構造。
【請求項６】
前記筐体本体の外周面は、上面と、前記上面と平行に配される下面と、前記上面と前記下面とを接続する両側面で構成され、
前記２本の分割線は、前記上面と前記下面にそれぞれ１本ずつ形成されている請求項１〜５のいずれか１項に記載の電子機器の筐体構造。
【請求項７】
前記第１嵌合部は、断面がＣ字形状をしており、
前記第２嵌合部は、断面がＪ字形状をしている請求項１〜６のいずれか１項に記載の電子機器の筐体構造。
【請求項８】
前記一対の筐体部材は、前記分割線の両端において前記結合ネジが取り付けられることにより結合される請求項１〜７のいずれか１項に記載の電子機器の筐体構造。
【発明の詳細な説明】
【技術分野】
【０００１】
本発明は、電子機器の筐体構造に関するものである。
【背景技術】
【０００２】
一対の筐体部材を結合して筒状の筐体本体を構成する、電子機器の筐体構造が知られている（例えば、非特許文献１参照）。非特許文献１に記載の筐体構造は、図９及び図１０に示すように、一対の筐体部材６１、６２を結合して筒状の筐体本体６０が構成される。筐体本体６０は、上面６０Ａ、下面６０Ｂ、側面６０Ｃ及び側面６０Ｄを構成する外周壁を有している。一対の筐体部材６１、６２は、筐体本体６０の外周壁を、周方向と直交する方向に延びる２本の分割線Ｌ１、Ｌ２に沿って分割された形態である。分割線Ｌ１、Ｌ２は、例えば、側面６０Ｃと６０Ｄにそれぞれ形成されている。各筐体部材６１、６２には、２本の分割線Ｌ１、Ｌ２のそれぞれに対応して形成される端部が形成されている。
【０００３】
筐体部材６１、６２は、例えば、金属板から形成され、互いの端部同士を突き合わせて結合ネジ６５の締結により結合される。
【０００４】
一対の筐体部材６１、６２の各端部には、端部同士を嵌合させる嵌合部として、Ｌ字形状のＬ字状フック６３、６４が形成されている。Ｌ字状フック６３、６４は、先端の屈曲部分６３Ａ、６４Ａが互いに対向するように嵌合される。
【０００５】
図１０に示すように、屈曲部分６３Ａ、６４Ａは、嵌合された状態においては、筐体部材６１、６２の端部同士を突き合わせる方向（Ｘ軸方向）において対向する。互いに対向する内壁面６３Ｂ、６４Ｂは、結合ネジ６５を螺合する孔部６６を画定する。孔部６６に結合ネジ６５が螺合すると、結合ネジ６５の外周との当接により、結合ネジ６５の力が、内壁面６３Ｂ、６４ＢをＸ軸方向において離間させる方向に働く。これにより、Ｌ字状フック６３、６４のそれぞれの基端部分と屈曲部分６３Ａ、６４Ａ同士が押しつけられて、筐体部材６１、６２が締結される。
【先行技術文献】
【非特許文献】
【０００６】
【非特許文献１】「タカチケース・ボックス・ラック総合カタログ」、株式会社タカチ電機工業、２０１４年９月発行、ｐ．５４６〜５４９、<URL：http://www.takachi-el.co.jp/data/actibook/2014japanese/_SWF_Window.html>（検索日：2016年2月4日）
【発明の概要】
【発明が解決しようとする課題】
【０００７】
しかしながら、非特許文献１に記載の従来の筐体構造では、組み立て性と組み付け精度に関して、次のような問題があった。まず、Ｌ字状フック６３、６４を嵌合させる場合、図１０に示すように、結合ネジ６５が締結されていない状態では、突き合わせ方向（Ｘ軸方向）においては位置ずれが規制されるが、Ｘ軸方向と直交するＹ軸方向においては、何ら規制が働かないため、Ｙ軸方向の位置ずれが生じやすい。
【０００８】
さらに、各筐体部材６１、６２がＹ軸方向に大きくずれると、各筐体部材４１、４２同士の組み付けが不用意に外れてしまう場合もある。位置ずれが規制されていないと、結合ネジ６５の締結の際に、適正な嵌合位置に位置決めするための治具などが必要となり、組み立て性が良くないという問題がある。
【０００９】
もちろん、Ｌ字状フック６３、６４には、図１０に示すように微細な凹凸６７によるクリックストップ形式の位置決め部が形成されている場合もある。しかし、クリックストップ形式の位置決め部では、結合ネジ６５が締結されていない状態における位置ずれに対する規制力は弱い。
【００１０】
また、Ｌ字状フック６３、６４を嵌合させる場合、結合ネジ６５が螺合する孔部６６は、Ｘ軸方向において対向する内壁面６３Ｂ、６４Ｂのみによって画定される。結合ネジ６５は内壁面６３Ｂ、６４Ｂと内接する。結合ネジ６５の螺合によりＸ軸方向に対しては結合ネジ６５の締結力が直接的に作用するが、Ｙ軸方向においてはＬ字状フック６３、６４の摩擦力しか作用しない。このため、Ｙ軸方向の位置ずれが生じやすく、組み付け精度が良くないという問題があった。
【００１１】
組み付け精度が悪いと、分割線Ｌ１、Ｌ２の隙間が大きくなる傾向があり、外周面の見栄えに影響する。分割線Ｌ１、Ｌ２の見栄えは、例えば、図１１に示す筐体本体７０のように、分割線Ｌ１、Ｌ２を、側面７０Ｃ、７０Ｄよりも目立つ上面７０Ａおよび下面７０Ｂに形成する場合において、特に問題となる。
【００１２】
本発明は、一対の筐体部材の組み立て性と組み付け精度が良好な電子機器の筐体構造を提供することを目的とする。
【課題を解決するための手段】
【００１３】
上記目的を達成するために、本発明の電子機器の筐体構造は、一対の筐体部材、第１嵌合部、第２嵌合部、第１屈曲部、第２屈曲部、及び孔部を備えている。一対の筐体部材は、筒状の筐体本体の外周壁を、周方向と直交する方向に延びる２本の分割線に沿って分割した形態の一対の筐体部材であって、２本の分割線のそれぞれに対応して形成される第１及び第２の２つの端部同士をそれぞれ突き合わせて結合される。第１嵌合部は、一対の筐体部材のそれぞれの第１端部に形成され、端部同士の突き合わせ方向において凹となる凹部を有する第１嵌合部であって、凹部は、突き合わせ方向に延びる外側舌片部と、外側舌片部よりも筐体本体の内側に形成され、突き合わせ方向に延びる内側舌片部とを有する。第２嵌合部は、一対の筐体部材のそれぞれの第２端部に形成され、端部同士の突き合わせ方向において凸となる凸型であり、凹部に挿入されることにより第１嵌合部と嵌合する。第１屈曲部は、第１嵌合部において、内側舌片部の先端に形成され、外側舌片部に向けて屈曲している。第２屈曲部は、第２嵌合部の先端に形成され、第２嵌合部が凹部内に挿入された状態において、内側舌片部と対向する向きに屈曲し、かつ、突き合わせ方向において、第１屈曲部と対向する。孔部は、第２嵌合部が凹部内に挿入された状態において、第１屈曲部、内側舌片部、及び第２屈曲部を含む第２嵌合部によって突き合わせ方向及び突き合わせ方向と直交する方向における四方向の内壁面が画定される孔部であって、内壁面と四方向で接触する締結用の結合ネジが螺合する。
【００１４】
位置決め部は、第２嵌合部において、外側舌片部と対向する外側対向面には、外側舌片部の先端と当接して、第１嵌合部との嵌合位置を位置決めする位置決め部が形成されていることが好ましい。
【００１５】
位置決め部は、突き合わせ方向と直交する方向において、第１嵌合部との間の嵌合位置を位置決めする第１位置決め面を有しており、外側対向面において、第１位置決め面は、第２嵌合部の先端側よりも、外側舌片部に向けて一段高くなっていることが好ましい。
【００１６】
位置決め部は、突き合わせ方向において、第１嵌合部との間の嵌合位置を位置決めする第２位置決め面を有していることが好ましい。
【００１７】
孔部の四隅には、結合ネジが螺合された際に、結合ネジによる切り屑を逃がす隙間が形成されることが好ましい。
【００１８】
筐体本体の外周面は、上面と、上面と平行に配される下面と、上面と下面とを接続する両側面で構成され、２本の分割線は、上面と下面にそれぞれ１本ずつ形成されていることが好ましい。
【００１９】
第１嵌合部は、断面がＣ字形状をしており、第２嵌合部は、断面がＪ字形状をしていることが好ましい。
【００２０】
一対の筐体部材は、分割線の両端において結合ネジが取り付けられることにより結合されることが好ましい。
【発明の効果】
【００２１】
本発明によれば、一対の筐体部材の組み立て性と組み付け精度が良好な電子機器の筐体構造を提供することができる。
【図面の簡単な説明】
【００２２】
【図１】本発明の筐体構造を適用した音響機器の外観を示す斜視図である。
【図２】化粧カバーを筐体本体から取り外した状態を示す斜視図である。
【図３】筐体の分解斜視図である。
【図４】筐体本体の分解斜視図である。
【図５】一対の筐体部材同士を嵌合させる前の状態を示す断面図である。
【図６】一対の筐体部材同士を嵌合させた状態を示す断面図である。
【図７】結合ネジによる締結前の第１および第２嵌合部の構成を示す要部断面図である。
【図８】結合ネジによる締結後の第１および第２嵌合部の構成を示す要部断面図である。
【図９】Ｌ字状フックで嵌合する従来の筐体構造の断面図である。
【図１０】図９に示す筐体構造のＬ字状フックの要部断面図である。
【図１１】分割線を上面及び下面に配置した比較例の筐体構造の断面図である。
【発明を実施するための形態】
【００２３】
図１および図２において、電子機器である音響機器１０は、本発明の筐体構造を有している。音響機器１０は、例えば、ヘッドホンアンプである。音響機器１０の筐体１１は、外周面に、ボリューム調整つまみ１２と、ヘッドホン端子１３と、入力端子１４とが設けられている。
【００２４】
筐体１１は、ボリューム調整つまみ１２が配置される面を正面とした場合に、正面１１Ａと、正面１１Ａと対向する背面１１Ｂと、正面１１Ａと背面１１Ｂとを結び前後方向に延びる上面１１Ｃと、上面と平行に配される下面１１Ｄと、両側面１１Ｅ、１１Ｆとを含む周面とで構成された箱型形状である。周面において、上面１１Ｃと下面１１Ｄと接続する側面１１Ｅ、１１Ｆは、曲面で構成されており、筐体１１の横断面が略長円形状をしている。
【００２５】
筐体１１は、筐体本体１５と、化粧カバー１６とで構成される。化粧カバー１６は、筐体本体１５の前面に取り付けられる。ボリューム調整つまみ１２は、円筒形状をしており、回転操作が可能に取り付けられている。筐体本体１５内には、入力された音声を増幅する増幅回路などの制御回路が収容されている。ボリューム調整つまみ１２が回転操作されると、ヘッドホンに出力される音声のボリュームが調整される。
【００２６】
また、正面１１Ａには、ボリューム調整つまみ１２とともに、ヘッドホン端子１３と、入力端子１４とが設けられている。ヘッドホン端子１３は、ヘッドホンケーブルが接続される。入力端子１４は、外部機器（図示せず）からデジタル又はアナログの音声信号を入力するためのものである。化粧カバー１６は、開口部１６Ａ〜１６Ｃが形成されており、ボリューム調整つまみ１２、ヘッドホン端子１３、入力端子１４を露呈する。
【００２７】
背面１１Ｂには、電源端子、ＵＳＢ（Universal Serial Bus）コネクタ、外部機器に音声信号の出力を行うための出力端子（いずれも図示せず）なども設けられる。ＵＳＢコネクタには、外部機器から音声信号の入力と給電との両方が可能なタイプと、音声信号の入力のみが可能なタイプとがある。出力端子は、例えば、アナログの音声信号を外部機器に出力する。
【００２８】
側面１１Ｅには、各種の操作を行うための複数の操作スイッチ１７が設けられている。操作スイッチ１７は、例えば、音声信号の出力レベルのＨＩＧＨ／ＬＯＷを切り替えるスイッチ、ＵＳＢを用いた給電のＯＮ／ＯＦＦを切り替えるスイッチ、音声信号の入力のデジタル／アナログを切り替えるスイッチなどである。
【００２９】
図３および図４に示すように、筐体本体１５は、断面形状が長円形状の筒状をしている。筐体本体１５の外周壁は、筐体１１の上面１１Ｃ、下面１１Ｄ、側面１１Ｅ、側面１１Ｆを構成する。筐体本体１５の前面と背面の開口には、筐体本体１５前カバー２０と、後カバー２１が取り付けられる。
【００３０】
筐体本体１５は、一対の筐体部材２３，２４から構成される。筐体部材２３，２４は、例えば金属板で形成され、後述するように結合ネジ２２の締結により結合される。結合ネジ２２は、軸部の外周面にネジ溝が形成された雄ネジであり、例えば筐体部材２３，２４と同じ金属製である。
【００３１】
一対の筐体部材２３、２４は、筐体本体１５の外周壁を、周方向と直交する方向（Ｚ方向）に延びる２本の分割線Ｌ１、Ｌ２に沿って分割した形態である。図３に示すように、分割線Ｌ１は、上面１１Ｃに形成され、分割線Ｌ２は下面１１Ｄに形成される。分割線Ｌ１は、上面１１Ｃにおいて幅方向の中心から側面１１Ｆ側にオフセットされた位置に形成されている。一方、分割線Ｌ２は、下面１１Ｄにおいて幅方向の中心から側面１１Ｅ側にオフセットされた位置に形成されている。これにより、筐体部材２３の外周壁２５は、上面１１Ｃの大半と、側面１１Ｅ、及び下面１１Ｄの一部を構成する。一方、筐体部材２４の外周壁２６は、下面１１Ｄの大半と、側面１１Ｆ、及び上面１１Ｃの一部とを構成する。筐体部材２３の外周壁２５において、側面１１Ｅに対応する部分には、操作スイッチ１７を露呈させるための開口部２３Ｃ〜２３Ｅが形成されている。
【００３２】
一対の筐体部材２３、２４は、それぞれの外周壁２５、２６において分割線Ｌ１に対応して形成される、第１端部２３Ａ、２４Ａおよび第２端部２３Ｂ、２４Ｂを有している。筐体部材２３は、分割線Ｌ１に対応して形成される第１端部２３Ａと、分割線Ｌ２に対応して形成される第２端部２３Ｂを有している。筐体部材２４は、分割線Ｌ１に対応して形成される第２端部２４Ｂと、分割線Ｌ２に対応して形成される第１端部２４Ａを有している。筐体部材２３、２４において、分割線Ｌ１に対応して形成される、第１端部２３Ａと第２端部２４Ｂの端部同士が突き合わせて結合され、一方、分割線Ｌ２に対応して形成される、第２端部２３Ｂと第１端部２４Ａの端部同士が突き合わせて結合される。
【００３３】
筐体部材２３の一方の端部である第１端部２３Ａと、筐体部材２４の一方の端部である第１端部２４Ａには、第１嵌合部３１がそれぞれ形成されている。また、筐体部材２３の他方の端部である第２端部２３Ｂと、筐体部材２４の他方の端部である第２端部２４Ｂには、第２嵌合部３２がそれぞれ形成されている。筐体部材２３の第１嵌合部３１は、筐体部材２４の第２嵌合部３２と嵌合し、筐体部材２３の第２嵌合部３２は、筐体部材２４の第１嵌合部３１と嵌合する。
【００３４】
図５及び図６に示すように、第１嵌合部３１は、第２嵌合部３２との突き合わせ方向（Ｘ軸方向）において、凹となる凹部３１Ａを有する。凹部３１Ａは、突き合わせ方向（Ｘ軸方向）に延びる外側舌片部４１と、外側舌片部４１よりも筐体本体１５の内側に形成され、突き合わせ方向に延びる内側舌片部４２と有しており、断面形状が略Ｃ字形状をしている。
【００３５】
外側舌片部４１は、筐体部材２３、２４のそれぞれにおいて外周壁２５、２６の一部を構成する。また、内側舌片部４２の先端には、外側舌片部４１に向けて屈曲した第１屈曲部３３が設けられている。
【００３６】
第２嵌合部３２は、第１嵌合部３１との突き合わせ方向（Ｘ軸方向）において凸となる凸型であり、凹部３１Ａに挿入されることにより第１嵌合部３１と嵌合する。第２嵌合部３２は、断面形状が略Ｊ字形状をしており、先端には第２屈曲部３４が形成されている。第２屈曲部３４は、第２嵌合部３２が凹部３１Ａ内に挿入された状態において、内側舌片部４２と対向する向きに屈曲し、かつ、突き合わせ方向（Ｘ軸方向）において、第１屈曲部３３と対向する。
【００３７】
図７及び図８に示すように、第２嵌合部３２が凹部３１Ａ内に挿入された状態において、第１屈曲部３３、内側舌片部４２、及び第２屈曲部３４を含む第２嵌合部３２によって内壁面が画定される孔部３６が形成される。孔部３６は、締結用の結合ネジ２２が螺合するネジ穴である。結合ネジ２２は、図１に示したように、各分割線Ｌ１、Ｌ２の両端に取り付けられる。
【００３８】
孔部３６の断面形状は、略四角形状となる。具体的には、第１屈曲部３３と第２屈曲部３４は、突き合わせ方向（Ｘ軸方向）において対向するため、これらによって、孔部３６の突き合わせ方向の二方向の内壁面３６Ａが画定する。また、突き合わせ方向と直交する方向（Ｙ軸方向）においては、内側舌片部４２と第２嵌合部３２とが対向するため、これらによって、孔部３６のＹ軸方向の二方向の内壁面３６Ｂが画定する。これにより、孔部３６は、Ｘ軸方向の二方向とＹ軸方向の二方向の合計四方向が画定される。
【００３９】
孔部３６は、断面が略四角形状であるため、Ｘ軸方向で対向する２つの内壁面３６Ａと、Ｙ軸方向で対向する２つの内壁面３６Ｂの四点で、断面が円形の結合ネジ２２の外周と接触する。結合ネジ２２が螺合されていない状態では、孔部３６の内接円の径は、結合ネジ２２の外径よりも小さい。図８に示すように、結合ネジ２２が孔部３６に螺合すると、第２嵌合部３２と内側舌片部４２は、両者が離間する方向に押し広げられる。これにより、孔部３６の径が結合ネジ２２の谷径（実線で示す雄ネジの溝部分）程度に拡大する。２点鎖線は、結合ネジ２２の外径（雄ネジのネジ山部分）である。孔部３６の内壁面３６Ａ、３６Ｂには、結合ネジ２２の螺合により、結合ネジ２２の外径に対応する深さのネジ溝が形成される。
【００４０】
図８に示すように、孔部３６の四隅には、結合ネジ２２が螺合された際に、結合ネジ２２による切り屑を逃がす隙間４４が形成される。この隙間４４は、例えば、内側舌片部４２における第１屈曲部３３の基端部分の内径や、第２嵌合部３２における第２屈曲部３４の基端部分の内径を、結合ネジ２２の外径よりも小さくすることなどによって形成される。
【００４１】
図８において、孔部３６の内壁面３６Ａ、３６Ｂは、結合ネジ２２の外周と四点で内接するため、結合ネジ２２が螺合すると、結合ネジ２２は、矢印で示すように、第２嵌合部３２と内側舌片部４２に対して、突き合わせ方向（Ｘ軸方向）及びそれと直交するＹ軸方向に対して約４５°傾斜した斜め方向に両者を離間させるように力を作用させる。これにより、第２嵌合部３２の先端部が外側舌片部４１に向けて変形して、第２嵌合部３２において、外側舌片部４１と対向する外側対向面３２Ａが、凹部３１Ａの内壁面に押し当てられる。
【００４２】
第２嵌合部３２において、外側対向面３２Ａには、外側舌片部４１の先端４１Ａと当接して、第１嵌合部３１との嵌合位置を位置決めする位置決め部３５が形成されている。位置決め部３５は、第１位置決め面３５Ａと第２位置決め面３５Ｂとを有する。
【００４３】
第１位置決め面３５Ａは、突き合わせ方向（Ｘ軸方向）と直交するＹ軸方向において、第１嵌合部３１との間の嵌合位置を位置決めする。第１位置決め面３５Ａが外側舌片部４１と当接すると、第２嵌合部３２の基端部分においてＹ軸方向の嵌合位置が位置決めされる。第１位置決め面３５Ａは、外側対向面３２Ａにおいて、第２嵌合部３２の先端側よりも、外側舌片部４１に向けて一段高くなっている。このため、第２嵌合部３２の先端側には、隙間Ｄ２が確保される。隙間Ｄ２は、結合ネジ２２によってＸ軸方向及びＹ軸方向に対して斜め方向に押圧を受ける第２嵌合部３２がＹ軸方向に逃げるスペースとなる。
【００４４】
また、第２位置決め面３５Ｂは、突き合わせ方向（Ｘ軸方向）において、第１嵌合部３１との間の嵌合位置を位置決めする。第２位置決め面３５Ｂは、外側舌片部４１の先端と当接することにより、第２嵌合部３２の凹部３１Ａ内の挿入量を規制して、Ｘ軸方向の嵌合位置を位置決めする。これにより、凹部３１Ａと第２嵌合部３２との間に、Ｘ軸方向における隙間Ｄ１が形成される。上述の通り、第２嵌合部３２は、結合ネジ２２によってＸ軸方向及びＹ軸方向に対して押圧を受ける。隙間Ｄ１は、第２嵌合部３２がＸ軸方向に逃げるスペースとなる。
【００４５】
次に、筐体本体１５の組立工程を説明しながら、本発明の電子機器の筐体構造の作用について説明する。先ず、図５に示すように、一対の筐体部材２３，２４の第１嵌合部３１および第２嵌合部３２を嵌合させるため、第１嵌合部３１が形成された第１端部２３Ａと第２嵌合部３２が形成された第２端部２４Ｂの端部同士と、第２嵌合部３２が形成された第２端部２３Ｂと第１嵌合部３１が形成された第１端部２４Ａの端部同士を、それぞれ向き合わせる。
【００４６】
図７に示すように、第１嵌合部３１と第２嵌合部３２を嵌合させる場合は、第２嵌合部３２を、第１嵌合部３１の凹部３１Ａ内に、第１嵌合部３１の前端又は後端からＺ軸方向にスライドさせて挿入する。これにより、各第１嵌合部３１および第２嵌合部３２が嵌合された状態で、第１端部２３Ａと第２端部２４Ｂの端部同士と、第２端部２３Ｂと第１端部２４Ａの端部同士が突き合わせられる。第２嵌合部３２が凹部３１Ａ内に挿入されて、筐体部材２３、２４同士が組み付けられた状態では、結合ネジ２２を締結していない場合でも、筐体部材２３、２４同士の位置ずれが少ない。そのため、組み立て性がよい。
【００４７】
すなわち、第１屈曲部３３と第２屈曲部３４は突き合わせ方向（Ｘ軸方向）において対向するため、筐体部材２３、２４同士が、Ｘ軸方向において離間する方向に位置ずれしても、第１屈曲部３３と第２屈曲部３４が当接して、Ｘ軸方向の位置ずれが規制される。さらに、第１屈曲部３３と第２屈曲部３４とが当接するため、筐体部材２３、２４同士の組み付けが不用意に外れてしまうことがない。また、第２嵌合部３２は、外側舌片部４１と内側舌片部４２とによって挟まれた状態になるため、突き合わせ方向（Ｘ軸方向）と直交するＹ軸方向の位置ずれも規制される。
【００４８】
これにより、結合ネジ２２による締結を行う前の状態でも、筐体部材２３、２４同士の組み付け位置の位置ずれが規制されるため、治具などによる位置決め作業などは不要となり、組み立て工程を簡単に行うことができる。
【００４９】
また、第１嵌合部３１と第２嵌合部３２を嵌合させた状態では、第１屈曲部３３、内側舌片部４２、第２屈曲部３４を含む第２嵌合部３２によって、孔部３６のＸ軸方向及びＹ軸方向の四方向の内壁面３６Ａ、３６Ｂが画定する。
【００５０】
図８に示すように、孔部３６の内壁面３６Ａ、３６Ｂは、結合ネジ２２の外周と四点で内接する。そのため、孔部３６に結合ネジ２２を螺合させることにより、結合ネジ２２は、第２嵌合部３２の先端部分と内側舌片部４２とを、Ｘ軸方向及びＹ軸方向に対して約４５°傾斜した斜め方向に離間する方向に力を作用させる。これにより、Ｙ軸方向に作用する力によって、第２嵌合部３２の先端部が外側舌片部４１に向けて変形して、第２嵌合部３２は、外側対向面３２Ａが、凹部３１Ａの内壁面に押し当てられる。また、Ｘ軸方向に作用する力によって、第２嵌合部３２の先端部分は、凹部３１Ａの奥の内壁面に突き当てられる。
【００５１】
このように結合ネジ２２を螺合させる際には、第２嵌合部３２の基端部分に形成された位置決め部３５が、外側舌片部４１の先端と当接することにより、第２嵌合部３２のＸ軸方向及びＹ軸方向の嵌合位置を規制する。これにより、隙間Ｄ１や隙間Ｄ２が形成される。隙間Ｄ１、Ｄ２によって、結合ネジ２２の螺合による第２嵌合部３２が変形した場合でも、凹部３１Ａ内において、第２嵌合部３２が外側に逃げるスペースが確保される。
【００５２】
このように、結合ネジ２２の力は、第１嵌合部３１と第２嵌合部３２に対して、Ｘ軸方向及びＹ軸方向に作用する。このため、第１嵌合部３１と第２嵌合部３２は、Ｘ軸方向及びＹ軸方向のどちらの方向においてもガタツキの無い状態で嵌合することができる。これにより、一対の筐体部材２３、２４の組み付け精度が向上する。組み付け精度が向上することにより、分割線Ｌ１、Ｌ２における隙間を小さくすることができる。
【００５３】
図３及び図４に示すように、筒状の筐体本体１５の外周面において、上面１１Ｃや下面１１Ｄに分割線Ｌ１、Ｌ２がある場合は、側面１１Ｅや側面１１Ｆにある場合と比較して分割線Ｌ１、Ｌ２が非常に目立つ。この場合、分割線Ｌ１、Ｌ２における隙間を小さくすることは、筐体本体１５の外周面の見栄えを良くする上で非常に重要である。
【００５４】
また、筐体本体１５の美感を向上するため、操作スイッチ１７などの操作部を、上面１１Ｃ、１１Ｄよりも目立たない側面１１Ｅ、１１Ｆなどの目立たない位置に配置したいという要望がある。この場合には、分割線Ｌ１、Ｌ２を側面１１Ｅ、１１Ｆに設けると操作部が配置できないため、本例のように分割線Ｌ１、Ｌ２を上面１１Ｃや下面１１Ｄに形成しなければならない。
【００５５】
本発明によれば、組み付け精度の向上により分割線Ｌ１、Ｌ２が目立たなくなる。このため、筐体本体１５の外周面の上面１１Ｃや下面１１Ｄなどの目立つ位置に分割線Ｌ１、Ｌ２を設ける場合に、本発明は特に有効である。
【００５６】
各分割線Ｌ１、Ｌ２の両端において結合ネジ２２が取り付けられると、筐体部材２３、２４が結合ネジ２２の締結により結合される。筐体部材２３、２４を結合した後、筐体本体１５に対して、さらに種々の部品を取り付けて筐体１１の組み立てが完了する。
【００５７】
上記実施形態においては、上面１１Ｃと下面１１Ｄに分割線Ｌ１を形成しているが、これに限らず、両側面１１Ｅ，１１Ｆに分割線Ｌ１、Ｌ２を形成した場合でも、本発明を適用することができる。
【００５８】
本発明は、上記実施形態に限定されず、本発明の趣旨を逸脱しない範囲で適宜変更が可能である。
【符号の説明】
【００５９】
１０  音響機器
１１  筐体
１５  筐体本体
２２  結合ネジ
２３，２４  筐体部材
２５，２６  外周壁
３１  第１嵌合部
３１Ａ  凹部
３１Ｂ，３２Ａ  屈曲部分内側
３２  第２嵌合部
３３  第１屈曲部
３４  第２屈曲部
３５  位置決め部
３６  孔部
３６Ａ、３６Ｂ  内壁面
４１  外側舌片部
４２  内側舌片部
Ｄ１，Ｄ２  隙間
Ｌ１，Ｌ２  分割線
【図１】
0006620584.tif 000002
【図２】
0006620584.tif 000003
【図３】
0006620584.tif 000004
【図４】
0006620584.tif 000005
【図５】
0006620584.tif 000006
【図６】
0006620584.tif 000007
【図７】
0006620584.tif 000008
【図８】
0006620584.tif 000009
【図９】
0006620584.tif 000010
【図１０】
0006620584.tif 000011
【図１１】
0006620584.tif 000012